(57)【要約】【課題】セキュリティ対策、ピッキング防止対策等の点で有利となるカードキー装置を提供する。【解決手段】カードキー装置は、複数の板状タンブラ部材および該タンブラ部材を揺動可能に並列配置して担持する内部ケースで形成される内部ユニットと、この内部ユニットを収納する外部ケースと、内部ユニットに抜き挿しされるカードキー１と、を備える。また、内部ケースと外部ケースとの間に、カードキー１の抜け位置を判定する１点抜け制御手段１８を設け、この１点抜け制御手段１８により、カードキー１が解錠位置にあると判定されたとき、該カードキー１は内部ケースから引き抜かれるのを阻止し、カードキー１が施錠位置にあると判定されたときのみ、カードキー１が内部ケースから引き抜かれるのを許容するように制御される。【選択図】図８
2011032709.tif 000002
【特許請求の範囲】
【請求項１】
複数のタンブラ部材および該タンブラ部材を揺動可能に並列配置して担持する内部ケースで形成される内部ユニットと、
前記内部ユニットを収納する外部ケースと、
前記内部ユニットに抜き挿しされるカードキーと、を具備し、
前記内部ケースと前記外部ケースとの間に、前記カードキーの抜け位置を判定する１点抜け制御手段を設け、
前記１点抜け制御手段により、前記カードキーが解錠位置にあると判定されたとき、前記カードキーは前記内部ケースから引き抜かれるのを阻止し、前記カードキーが施錠位置にあると判定されたときのみ、前記カードキーが前記内部ケースから引き抜かれるのを許容するように制御されることを特徴とする、
カードキー装置。
【請求項２】
複数のタンブラ部材および該タンブラ部材を揺動可能に並列配置して担持する内部ケースで形成される内部ユニットと、
前記内部ユニットを施錠位置と解錠位置との間に亘ってスライドさせるように収納する外部ケースと、
前記外部ケースに凹設され、前記施錠位置および前記解錠位置にある前記内部ユニットにカードキーが挿し込まれないときのみ前記タンブラ部材が係合して前記内部ユニットのスライドを拘束する溝状の判別部と、
前記内部ユニットに設けられ、前記内部ユニットが前記施錠位置にあるとき前記外部ケースから出っ張り、前記内部ユニットが前記解錠位置にあるとき前記外部ケース内に引っ込む閂部材と、を具備するカードキー装置であって、
前記内部ケースと前記外部ケースとの間に前記カードキーの抜け位置を判定する１点抜け制御手段を設け、
前記１点抜け制御手段により、前記カードキーが前記解錠位置にあると判定されたとき、前記カードキーは前記内部ケースから引き抜かれるのを阻止されるが、前記カードキーが前記施錠位置にあると判定されたときのみ、前記カードキーが前記内部ケースから引き抜かれるのを許容するように制御されることを特徴とする、
カードキー装置。
【請求項３】
前記１点抜け制御手段は、
前記内部ケースに揺動可能に担持され、前記タンブラ部材に並列配置した判定タンブラと、前記外部ケースの天井に凹設された判定凹部とで形成され、
前記内部ユニットが前記施錠位置にあるとき、前記カードキーの抜き挿しに応じて前記判定タンブラを前記判定凹部に入り込むように揺動するが、前記内部ユニットが前記解錠位置にあるとき、前記判定タンブラを前記外部ケースの天井に衝合させることにより、前記カードキーが前記内部ケースから引き抜かれるのを阻止することを特徴とする、
請求項１または２に記載のカードキー装置。
【請求項４】
前記内部ケースと前記外部ケースとの間にワンウェイクラッチ機構を設け、
通常時、前記解錠位置から前記施錠位置への前記内部ユニットのスライドは拘束するが、前記カードキーを挿し込んだときのみ、前記解錠位置へのスライドを許容することを特徴とする、
請求項１〜３のいずれかに記載のカードキー装置。
【請求項５】
前記ワンウェイクラッチ機構は、
前記外部ケースに設けた弾性変形可能な爪と、前記内部ケースに設けられ前記爪を係脱させる係合部とで形成され、
前記施錠位置では前記爪は前記係合部に係合しているが、前記内部ユニットに前記カードキーが挿し込まれたとき、前記爪が前記係合部から解脱することを特徴とする、
請求項４に記載のカードキー装置。
【請求項６】
前記内部ケースに、前記タンブラ部材に並列配置されて揺動するピッキング対策タンブラを担持する一方で、
前記外部ケースに前記ピッキング対策タンブラに係脱するピッキング対策凹部を設け、  ピッキング時には、揺動する前記ピッキング対策タンブラが前記ピッキング対策凹部に入り込むことにより、前記内部ユニットが解錠位置へスライドするのを拘束されることを特徴とする、
請求項１〜５のいずれかに記載のカードキー装置。
【請求項７】
前記内部ケースに、互いに隣り合う前記タンブラ部材を仕切る仕切り壁を設けると共に、該仕切り壁に段差を設け、
前記施錠位置にある前記内部ユニットに、前記解錠位置へスライドさせるピッキング強制力が作用したときに、前記タンブラ部材が前記段差に干渉することにより、前記判別部に係合する状態を維持することを特徴とする、
請求項２〜６のいずれかに記載のカードキー装置。
【発明の詳細な説明】
【技術分野】
【０００１】
本発明は、例えば、オフィス向けの机、ワゴン、ロッカー、キャビネット等に使用される収納装置の施解錠機構におけるカードキー装置に係り、特に、カードキーの抜き挿しを常に施錠位置の１点でのみ行うことでセキュリティ向上を図ったカードキー装置に関する。
【背景技術】
【０００２】
従来、机のキー装置は、いわゆる２点抜け機構を有するキー装置、すなわち、キーを施錠位置および解錠位置のいずれの位置でも抜き挿しできる機構のものが主流である。係る２点抜け機構のキー装置では、仕事中は解錠状態にあるキー装置からキーを抜いて、引き出しの出し入れ操作を行い、仕事を終えた後は引き出しを閉め、キー装置を施錠状態に復帰させてからキーを抜くことで、防犯に対処している。
【０００３】
また、カードキー装置として、例えば特許文献１〜３に記載された技術が知られている。これら技術は、カードキーを錠本体に抜き挿しして使用することで、錠装置を施解錠する構成のものである。また、カードキーを用いて内筒を交換可能に構成した技術として特許文献４の技術が公知である。
【先行技術文献】
【特許文献】
【０００４】
【特許文献１】特開平８−１３８６６号公報
【特許文献２】特開昭５８−１２３９８０号公報
【特許文献３】特開平４−２６３８８号公報
【特許文献４】実用新案登録第３０５９４９６号公報
【発明の概要】
【発明が解決しようとする課題】
【０００５】
しかしながら、上記２点抜け機構のキー装置にあっては、閉められている引き出しをみて、解錠状態であるにもかかわらず、施錠状態であると誤認し、施錠操作をしないで仕事場から帰宅する事態を生じる。そのため、引き出し内の、例えば個人情報に関する書類などが紛失する虞があり、セキュリティ対策上不利となる問題がある。
【０００６】
また、上記特許文献１のカードキーシステムにあっては、本体ケースの鍵片挿通空隙部にカードキーを抜き挿しするだけで錠の施解錠を行う構成であるため、本体ケースの奥行き寸法が大きくなる。その結果、本体ケースはその奥行き方向に大型化し、カードキーシステムを取り付けるスペースが大きくなる問題がある。特許文献２および特許文献３の技術に使用されるタンブラはディスク型ではなく、逆Ｔ字型形状のタンブラである。これによりタンブラの両側からカードキーを抜き挿しすることで施解錠を行うため、カードキー装置自体の外形寸法が大型化する問題がある。さらに、特許文献４はキー孔に内筒交換キーを挿し込んで内筒を外筒から抜き出して交換できる構成ではあるが、開示された技術はシリンダ錠をベースにした技術であり、キーをスライドさせて施解錠を行うシステムにはなっておらず、スマート感のあるデザイン性に劣る問題がある。勿論、上記の各特許文献には、上記２点抜へ機構のキー装置と同様に、セキュリティ対策を施した機構のものは開示されていない。
【０００７】
本発明は、このような従来の問題点を解決するためになされたものであって、セキュリティ対策、ピッキング防止対策等の点で有利となるカードキー装置を提供することを目的とする。
【課題を解決するための手段】
【０００８】
(１)本発明は、複数のタンブラ部材および該タンブラ部材を揺動可能に並列配置して担持する内部ケースで形成される内部ユニットと、前記内部ユニットを収納する外部ケースと、前記内部ユニットに抜き挿しされるカードキーと、を具備し、前記内部ケースと前記外部ケースとの間に、前記カードキーの抜け位置を判定する１点抜け制御手段を設け、前記１点抜け制御手段により、前記カードキーが解錠位置にあると判定されたとき、前記カードキーは前記内部ケースから引き抜かれるのを阻止し、前記カードキーが施錠位置にあると判定されたときのみ、前記カードキーが前記内部ケースから引き抜かれるのを許容するように制御されることを特徴とする、カードキー装置である。
【０００９】
（２）本発明はまた、複数のタンブラ部材および該タンブラ部材を揺動可能に並列配置して担持する内部ケースで形成される内部ユニットと、前記内部ユニットを施錠位置と解錠位置との間に亘ってスライドさせるように収納する外部ケースと、前記外部ケースに凹設され、前記施錠位置および前記解錠位置にある前記内部ユニットにカードキーが挿し込まれないときのみ前記タンブラ部材が係合して前記内部ユニットのスライドを拘束する溝状の判別部と、前記内部ユニットに設けられ、前記内部ユニットが前記施錠位置にあるとき前記外部ケースから出っ張り、前記内部ユニットが前記解錠位置にあるとき前記外部ケース内に引っ込む閂部材と、を具備するカードキー装置であって、前記内部ケースと前記外部ケースとの間に前記カードキーの抜け位置を判定する１点抜け制御手段を設け、前記１点抜け制御手段により、前記カードキーが前記解錠位置にあると判定されたとき、前記カードキーは前記内部ケースから引き抜かれるのを阻止されるが、前記カードキーが前記施錠位置にあると判定されたときのみ、前記カードキーが前記内部ケースから引き抜かれるのを許容するように制御されることを特徴とする、カードキー装置である。
【００１０】
上記(１)および(２)の発明によれば、内部ケースと外部ケースとの間に設けた１点抜け制御手段により、カードキーと一体の内部ユニットが施錠位置にあるか、解錠位置にあるかが判定される。１点抜け制御手段がカードキーの位置を解錠位置にあると判定した場合には、カードキーは、内部ケースから引き抜かれないように内部ケース内に保持(ロック)する。一方、１点抜け制御手段によりカードキーが施錠位置にあると判定された場合には、カードキーは内部ケースから自由に引き抜くことできるようになる。１点抜け制御手段により、カードキーは解錠位置では抜き挿しができず、施錠位置でのみ抜き挿しが行えるように制御する。カードキーがカードキー装置に付いているか、付いていないかを視認するだけで、容易に解錠状態または施錠状態を判断でき、解錠状態にあるのを施錠状態であると錯覚するのを未然に防止でき、セキュリティを向上できるようになる。
【００１１】
(３)本発明はまた、前記１点抜け制御手段は、前記内部ケースに揺動可能に担持され、前記タンブラ部材に並列配置した判定タンブラと、前記外部ケースの天井に凹設された判定凹部とで形成され、前記内部ユニットが前記施錠位置にあるとき、前記カードキーの抜き挿しに応じて前記判定タンブラを前記判定凹部に入り込むように揺動するが、前記内部ユニットが前記解錠位置にあるとき、前記判定タンブラを前記外部ケースの天井に衝合させることにより、前記カードキーが前記内部ケースから引き抜かれるのを阻止することを特徴とする前記(１)または（２）記載のカードキー装置である。
【００１２】
本発明では、上記の１点抜け制御手段を、内部ケースに担持した判定タンブラと、カードキーが施錠位置にあるとき、判定タンブラの位置に対応する外部ケースの天井に設けた判定凹部とで形成した。カードキーが解錠位置にあるときは、判定タンブラは外部ケースの天井に衝合することで、判定タンブラの揺動が拘束される。これにより、解錠位置におけるカードキーは判定タンブラに阻止され、内部ケースから引き抜かれない。他方、カードキーが施錠位置にあるときは、判定タンブラは判定凹部に入り込むので、その分、揺動変位量は大きくなる。その結果、カードキーは判定タンブラに拘束されることなく、内部ケースから引き抜くことができ、施錠位置での１点抜け制御を行うことができるようになる。
【００１３】
(４)本発明はまた、前記内部ケースと前記外部ケースとの間にワンウェイクラッチ機構を設け、通常時、前記解錠位置から前記施錠位置への前記内部ユニットのスライドは拘束するが、前記カードキーを挿し込んだときのみ、前記解錠位置へのスライドを許容することを特徴とする前記(１)〜（３）のいずれかに記載のカードキー装置である。
【００１４】
本発明によれば、内部ユニットは解錠位置から施錠位置へ自由にスライドできるが、施錠状態にある内部ユニットはカードキーが挿し込まれない間はワンウェイクラッチ機構によりスライドが拘束される。しかし、カードキーを挿し込むことにより、ワンウェイクラッチ機構が作動して外部ケースと内部ケースとの間の拘束力が解除される。そのため、施錠位置にある内部ケースのスライドが許容され、解錠位置への移動を可能にする。したがって、施錠位置においては、外部ケースの判別部に対するタンブラ部材の係合だけでなく、ワンウェイクラッチ機構による拘束力によっても内部ケースのスライドを拘束するため、内部ユニットが不用意に解錠位置へ操作されるのを禁止でき、一層セキュリティ性能に優れたカードキー装置を実現できるようになる。
【００１５】
(５)本発明はまた、前記ワンウェイクラッチ機構は、前記外部ケースに設けた弾性変形可能な爪と、前記内部ケースに設けられ前記爪を係脱させる係合部とで形成され、前記施錠位置では前記爪は前記係合部に係合しているが、前記内部ユニットに前記カードキーが挿し込まれたとき、前記爪が前記係合部から解脱することを特徴とする前記(４)記載のカードキー装置である。
【００１６】
本発明によれば、カードキーの抜き挿しで弾性変形する爪を外部ケースに設けたので、施錠位置でカードキーを挿し込まない場合には、爪が内部ユニットに形成した係合部に係合するので施錠状態を維持できる。
【００１７】
(６)本発明はまた、前記内部ケースに、前記タンブラ部材に並列配置されて揺動するピッキング対策タンブラを担持する一方で、前記外部ケースに前記ピッキング対策タンブラに係脱するピッキング対策凹部を設け、ピッキング時には、揺動する前記ピッキング対策タンブラが前記ピッキング対策凹部に入り込むことにより、前記内部ユニットが解錠位置へスライドするのを拘束されることを特徴とする前記(１)〜(５)のいずれかに記載のカードキー装置である。
【００１８】
本発明では、内部ケースにピッキング対策タンブラを、外部ケースにピッキング対策タンブラに係脱するピッキング対策凹部をそれぞれ設けた。ピッキング時にピッキング道具によりタンブラ部材が揺動操作され、それまで係合していた判別部から解脱してスライド可能状態にされても、必ずピッキング対策タンブラも揺動されるようにしている。その結果、ピッキング対策タンブラはピッキング対策凹部に嵌り込んでいるので、内部ユニットが施錠位置から解錠位置へ強制的にスライドされるのを拘束する。したがって、セキュリティ対策上有利なカードキー装置を得ることができるようになる。
【００１９】
(７)本発明はまた、前記内部ケースに、互いに隣り合う前記タンブラ部材を仕切る仕切り壁を設けると共に、該仕切り壁に段差を設け、前記施錠位置にある前記内部ユニットに、前記解錠位置へスライドさせるピッキング強制力が作用したときに、前記タンブラ部材が前記段差に干渉することにより、前記判別部に係合する状態を維持することを特徴とする前記(２)〜(６)のいずれかに記載のカードキー装置である。
【００２０】
本発明では、タンブラ部材を仕切るように内部ケースに形成した仕切り壁に段差を設けた。内部ユニットにスライドする力を与えながらピッキング強制力を作用させると、タンブラ部材に対して内部ケースがスライド偏倚する。これにより、タンブラ部材が段差に干渉可能な位置まで偏倚し、タンブラ部材を強制的に揺動させようとしても段差に干渉して揺動できなくする。したがって、ピッキング対策に有利なカードキー装置を得ることができるようになる。
【発明の効果】
【００２１】
本発明によれば、部品点数が少なく、構成がシンプルで、奥行き長さが小さな取り付けスペースによる制約を受けることなく取り付けることができ、スライド方式というスマート感にあふれた操作性に優れ、かつ、ピッキング防止等セキュリティ対策の点でも有利なカードキー装置を実現できる。
【図面の簡単な説明】
【００２２】
【図１】本発明の実施形態に係るカードキー装置の外観図である。
【図２】同じく、(ａ)は施錠位置でカードキーを挿入した状態におけるカードキー装置の外観図、(ｂ)はカードキーを解錠位置に挿入した状態における外観図、(ｃ)は変換用カードキーを挿入したまま内部ケースを取り出した状態を示す外観図である。
【図３】同じく、外部ケースのケースと内部ケースとの外観図である。
【図４】同じく、外部ケースのカバーに係り、(ａ)はカバーの外観図、(ｂ)は (ａ)のＢ−Ｂ線における矢視縦断面図、(ｃ)は(ａ)のＣ−Ｃ線における矢視縦断面図である。
【図５】同じく、外部ケースのカバーに係り、(ａ)はカバーを裏返しにした天井の平面 図、(ｂ)はカードキーのスライドを説明する作用図である。
【図６】同じく、施錠位置においてカードキーを挿し込む前の判定タンブラの作用を説明する横断面図である。
【図７】同じく、施錠位置においてカードキーが挿し込まれるときの判定タンブラの作用を説明する横断面図である。
【図８】同じく、解錠位置における判定タンブラの作動を説明する横断面図である。
【図９】同じく、(ａ)は内部ケースの外観図、(ｂ)は内部ケースを裏返しにした外観図、(ｃ)は板バネの外観図、(ｄ)は板バネの平面図、(ｅ)は板バネの側面図、(ｆ)は閂部材単体の外観図である。
【図１０】同じく、タンブラ部材に係り、(ａ)は１番山用タンブラの側面図、(ｂ)は２番山用タンブラの側面図、(ｃ)はダミータンブラの側面図、(ｄ)は変換用タンブラの側面図、(ｅ)は判定タンブラの側面図、(ｆ)はピッキング対策タンブラの側面図である。
【図１１】同じく、(ａ)はカードキー装置における(ｂ)のＡ−Ａ線における矢視平断面図、(ｂ)はカードキー装置の正面図、(ｃ)は(ｂ)のＢ−Ｂ線における矢視横断面図、(ｄ)はＣ−Ｃ線における矢視横断面図である。
【図１２】同じく、１番山用タンブラを組み込んだカードキー装置の作用を説明する横断面図である。
【図１３】同じく、２番山用タンブラを組み込んだカードキー装置の作用を説明する横断面図である。
【図１４】同じく、ダミータンブラを組み込んだカードキー装置の作用を説明する横断面図である。
【図１５】同じく、(ａ)はカードキー装置の正面外観図、(ｂ)および(ｃ)は変換用タンブラを組み込んだカードキー装置の作用を説明する横断面図である。
【図１６】同じく、ピッキング対策タンブラがピッキング対策凹部から解脱している状態を示す横断面図である。
【図１７】同じく、ピッキング対策タンブラがピッキング対策凹部に係合している状態を示す横断面図である。
【図１８】同じく、ワンウェイクラッチ機構を説明する平断面図である。
【図１９】同じく、ワンウェイクラッチ機構の係合部を示す外観図である。
【図２０】同じく、内部ケースの仕切り壁に段差を設けた構成を示す外観説明図である。
【図２１】同じく、上記段差にタンブラ部材が干渉する状態を説明する拡大平面図である。
【図２２】同じく、段差にタンブラ部材が干渉する状態を説明する拡大側面図である。
【図２３】同じく、（ａ）は施解錠用カードキーの平面図、(ｂ)は変換用カードキーの平面図である。
【発明を実施するための形態】
【００２３】
以下、本発明のカードキー装置に係る実施形態を図に基づいて詳述する。カードキー装置の構成要素を説明する前に、カードキー装置の概要構成を使用態様を含めて簡略に説明する。なお、本実施形態に使用されるカードキーとしては、施解錠用カードキーと変換用カードキーの二種類があるが、断りのない限り単に「カードキー」と称するときは、両カードキーを含めた「施解錠用カードキー」を指すものとする。また、タンブラ部材６とは、後述する種々のタンブラを含めた総括名称である。
【００２４】
図１は上記カードキー１を施錠位置にあるカードキー装置本体２に挿し込む(挿入する)直前の状態を示す外観図、図２(ａ)は図１のカードキー装置本体２にカードキー１を挿入した状態を示す外観図、同図(ｂ)はカードキー１を施錠位置から同図(ａ)の矢印Ａに示す解錠位置へスライドさせた状態を示す外観図、同図(ｃ)は外部ケース３から内部ユニット４を変換用カードキー５と一体に引き抜いた状態を示す外観図である。
【００２５】
カードキー装置本体２はほぼ箱状の外部ケース３と、この外部ケース３に着脱自在に収納される内部ユニット４とからなる。内部ユニット４は内部ケース７と、この内部ケース７に組み込まれた複数の板状タンブラ部材６等とから成る。内部ユニット４は外部ケース３に対してカードキー１の抜き挿しする方向にほぼ直交する方向、すなわち、図１に示す長手方向Ｌ、換言すると、図２(ａ)の矢印Ａまたはその反対方向へスライドするように収納される。こうしてカードキー装置本体２は例えば不図示の机の引き出し前面部位に装設され、後述する１点抜け制御手段により施錠位置においてのみカードキー１や変換用カードキー５を抜き挿し口(挿入口)８から図２(ｃ)の矢印Ｂまたはその反対方向の奥へ抜き挿しできるようになっている。外部ケース３には内部ユニット４のスライドに連動して図２(ａ)の矢印Ｃまたはその反対方向へ出没する閂部材(デッドボルト)９が収容され、不図示の錠前に係脱するようになっている。
【００２６】
上記概要構成を有するカードキー装置において、図１に示す施錠状態から解錠操作を行うときは、カードキー１を図２(ａ)のように抜き挿し口８に挿入する。その状態から図２(ｂ)に示す解錠位置まで矢印Ａ方向へ内部ユニット４をスライドさせる。これにより、それまで出っ張っていた閂部材９は外部ケース３内部へ没入し、相手側の不図示の錠前から解脱し、解錠が行われる。こうして、引き出しを開けることができる。なお、後で詳述する１点抜け制御手段１８により、解錠位置においてはカードキー１を抜き挿し口８から抜くことができず、内部ケース７に保持される状態が維持される機構になっている。引き出しを締めてロック(施錠)する場合には、上記と逆の操作、換言するとカードキー１を内部ユニット４と共に矢印Ａの反対方向へスライドさせる。これにより、閂部材９が内部ユニット４から出っ張り、錠前との間で施錠が行われる。
【００２７】
図２(ｃ)のように内部ユニット４を外部ケース３から取り出す場合には、カードキー１にはない変換用キー溝を有する変換用カードキー５を使用して行われる。なお、カードキー１，５については後述する。図１に示す施錠位置にある内部ユニット４に変換用カードキー５を挿入する。次いで、変換用カードキー５を図２(ａ)に示す施錠位置の状態から矢印Ａ方向へスライドさせる。内部ユニット４を解錠位置までスライドさせると、閂部材９が錠前から引っ込み、解錠操作が行われる。シャーラインがそろい、外部ケース３と閂部材９を取り残したまま、変換用カードキー５と一体の内部ユニット４を矢印Ｂ方向へ取り出すことができる。これにより、上記の変換用カードキー５とはキー溝の異なる別の変換用カードキーが挿し込まれた内部ユニット４を、外部ケース３に装着する。すると、図２(ｂ)に示す解錠位置の状態から上記矢印Ａと逆方向の施錠位置の方向へ変換用カードキー５をスライドさせる。同図(ａ)に示す位置に内部ユニット４が移動すると、閂部材９が外部ケース３から出っ張り施錠が行われる。それ以後は、新たなユーザが有する別の新たなカードキー1により、施解錠操作が行われていくこととなる。すなわち、新たなカードキー1および変換用カードキー５による施解錠操作が可能となる。
【００２８】
以下、順次、本実施形態におけるカードキー装置の構成を説明していく。
【００２９】
＜外部ケース＞
図２に示す外部ケース３は、図３に示すケース３ａと、図４で示されるカバー３ｂとの二部品を組み合わせて形成される。すなわち、カバー３ｂのビス孔３ｆに通したビス３ｇ（図１参照）をケース３ａ側のビス孔３ｈにねじ込むことで図２に示される外部ケース３が形成される。外部ケース３の前面には、内部ユニット４の出し入れを行う開口部３ｃが形成される。
【００３０】
図５(ａ)は外部ケース３の一構成要素であるカバー３ｂをひっくり返したときに見える裏面、すなわち天井１７を示す平面図である。天井１７には、複数の溝状の判別部３ｄが並列に凹設される。判別部３ｄは長手方向Ｌ、すなわち上記スライド方向にほぼ直交する方向で、かつ、後述するタンブラ部材６が設置される位置に対応する位置に設けられる。タンブラ部材６が揺動するとき、判別部３ｄに係脱するか否かで、内部ユニット４のスライドが拘束または許容される。
【００３１】
また、天井１７には図６〜図８に示すように、上記判別部３ｄとは別の溝状の形状を有する１点抜け制御手段１８の一部である判定凹部１９が凹設される。より具体的には、判定凹部１９はカードキー１が挿し込まれる施錠位置に対応する領域に設けた２個の大穴判定部１９ａと、解錠位置に対応する領域に凹設した、大穴判定部１９ａより小さな２個の小穴判定部１９ｂ(図８参照)とで構成される。施錠位置においては、１点抜け制御手段１８の一部である判定タンブラ２０の爪２０ｃは図６と図７に示すように、カードキー１の抜き挿しに応じて大穴判定部１９ａに出入りして揺動する。解錠位置においては、判定タンブラ２０の爪２０ｃは図８に示すように、小穴判定部１９ｂ近傍の天井１７に当接することで、判定タンブラ２０の揺動がロックされるようになっている。
【００３２】
なお、上記では小穴判定部１９ｂを凹設している場合を説明したが、判定タンブラ２０の揺動が拘束されればよいので、小穴判定部１９ｂを設けない態様であってもよい。
【００３３】
また、外部ケース３には、後述するワンウェイクラッチ機構２３の一構成要素である爪２４が形成されている（図３参照）。
【００３４】
＜スライド用レール部＞
カバー３ｂには、図５(ａ)、(ｂ)、図１５(ｃ)に示すようにスライド用レール部３ｅがスライド方向に沿って設けられる。スライド用レール部３ｅに変換用タンブラ１５がカム接触的に係脱するようになっている。すなわち、図１５(ｂ)のように、通常のカードキー１を挿入したときは変換用タンブラ１５がカードキー１により押し上げられるように揺動する。これにより、変換用タンブラ１５がスライド用レール部３ｅにカム接触し、スライド可能な状態となる。この状態では内部ユニット４を自由にスライド動作させて施解錠操作できるが、内部ユニット４を取り出すことはできない。
【００３５】
変換用カードキー５を挿入すると、図１５(ｃ)に示すように変換用タンブラ１５はスライド用レール部３ｅから外れ干渉しなくなる。この状態になると、内部ユニット４を施解錠操作できると共に、解錠位置において内部ユニット４を変換用タンブラ１５と一体にして外部ケース３から取り出すことができるようになっている。
【００３６】
また、外部ケース３には、図９(ｆ)に示す閂部材９の出没を許容するガイド溝３ｊが図３(ａ)のように設けられている。
【００３７】
＜内部ユニット＞
内部ユニット４は内部ケース７と、内部ケース７に担持されるバネ部材としての板バネ１０と、板バネ１０に支持されて内部ケース７に組み込まれるタンブラ部材６とで成る。
【００３８】
＜内部ケース＞
内部ケース７は図９(ａ)および同図(ｂ)に示すように、前面にカードキー１や変換用カードキー５を抜き挿しする抜き挿し口８(挿入口)が設けられる。抜き挿し口８の後方には、有底の箱部７ａが形成される。箱部７ａに穿った軸孔７ｂに、長手方向Ｌに指向する二本の二点鎖線で示す平行配置した円柱棒状のタンブラ軸１１が軸支される。
【００３９】
内部ケース７には図１９〜図２２に示すように、並列配置されるタンブラ部材６を交互に仕切る仕切り壁７ｂが形成され、各仕切り壁７ｂに段差７ｃが設けられる。カードキー以外の解錠工具(ピッキングツール)によるピッキング時には、内部ケース７に解錠方向へのテンション（ピッキング強制力）を作用させながらタンブラ部材６を強制的に揺動させる。ダミータンブラ１４以外のタンブラ部材６は、図２１のように仕切り壁７ｂへ相対変位する。しかし、図２２に示すようにタンブラ部材６は段差７ｃに干渉し、その揺動が拘束され、ピッキングができないようにしている。
【００４０】
＜板バネ＞
板バネ１０は図９(ｃ)〜同図(ｅ)のように、全体がほぼ肋骨形状に形成され、長手方向Ｌに沿う基部１０ａと、基部１０ａの両側を斜め上方に互い違いに伸ばした複数の枝部１０ｂと、基部１０ａの両端に設けた端部１０ｃとからなる。
【００４１】
端部１０ｃには２つの孔１０ｄが穿たれ、この孔１０ｄにタンブラ軸１１が挿通される。これにより、板バネ１０はタンブラ軸１１を介して内部ケース７に宙吊り状態で担持される。このとき、タンブラ軸１１には、後述するように種々の外形形状を有する板状のタンブラ１２〜１５がタンブラ軸１１に揺動可能に枢支される。
【００４２】
＜タンブラ部材＞
次に、タンブラ部材６について説明する。タンブラ部材の種類には、図１０(ａ)に示す１番タンブラ１２，同図(ｂ)の２番タンブラ１３，同図(ｃ)のダミータンブラ１４，同図(ｄ)に示される変換用タンブラ１５、同図(ｅ)の判別タンブラ２０，および同図(ｆ)に示すピッキング対策用タンブラ２１がある。各タンブラ１２〜１５、２０、２１は上記したタンブラ軸１１に揺動可能に枢支されるための孔１２ａ〜１５ａ、２０ａ、２１ａ、カードキー1や変換用カードキー５とカム接触するカム部１２ｂ〜１５ｂ、２０ｂ、２１ｂが設けられる。
【００４３】
タンブラ１２および１３には判別部３ｄに係脱する爪１２ｃ、１３ｃ、および補助爪１２ｄ、１３ｄが、タンブラ１５には判定部３ｄに係脱する爪１５ｃおよびスライド用レール部３ｅに係脱する補助カム部１５ｄがそれぞれ設けられる。
【００４４】
さらに、判定タンブラ２０には大穴判定部１９ａに係脱(出没)する爪２０ｃが、また、ピッキング対策タンブラ２１には図１６、図１７に示すピッキング対策凹部２２に係脱する爪２１ｃが設けられる。
【００４５】
カードキー装置に符合しないカードキーが挿入された場合に、爪１２ｃ、１３ｃ、１５ｃは判別部３ｄに入り込み、内部ユニット４のスライドを拘束するようになっている。これにより、不用意な施解錠が行われるのが禁止される。
【００４６】
ピッキング対策タンブラ２２は、ピッキングツールが挿入されたときに、同タンブラ２２が揺動され、爪２１ｃが少しでもピッキング対策凹部２２に係合することで、内部ユニット４が解錠方向へ操作されるのを阻止するようにしている。
【００４７】
ダミータンブラ１４は上記のような爪を一切有しないタンブラである。判別部３ｄに入り込んだりして係脱することがない。ダミータンブラ１４は判別部３ｄに対してなにも作用しないタンブラであり、１番タンブラ１２や２番タンブラ１３の設けられる位置が悟られないようにしている。
【００４８】
＜変換用タンブラ＞
変換用タンブラ１５は、そのカム部１５ｂ側に、補助カム部１５ｄを設けている。補助カム部１５ｄはスライド用レール部３ｅにカム接触をしながら係脱するように形成される。すなわち、施錠位置でカードキー１を挿入すると、変換用タンブラ１５は図１５(ｂ)に示す状態に駆動制御される。これにより、補助カム部１５ｄは該レール部３ｅに係合することとなり、その状態で内部ユニット４のスライドによる施解錠操作を許容するが、シャーラインがそろわないので内部ユニット４の抜脱は禁止される。
【００４９】
カードキー１ではなく変換用カードキー５を挿入すると、変換用タンブラ１５は図１１(ｃ)に示す状態に制御される。すなわち、補助カム部１５ｄはスライド用レール部３ｅから解脱し、内部ユニット４は変換用カードキー５と共に図１に示す長手方向Ｌへのスライドが許容され施解錠が可能となると共に、内部ユニット４をカードキー５と共に図２(ｃ)に示す矢印Ｂ方向への抜脱できるようになる。
【００５０】
上記各タンブラ１２〜１５、２０，２１の配列を適宜組み合わせ、タンブラ軸１１に積層配列し、板バネ１０と一体に内部ケース７に組み込むことで、内部ユニット４が形成される。この内部ユニット４を外部ケース３に組み込むと、図１１(ａ)に示す構造を有するカードキー装置を組み立てることができる。なお、上記の各タンブラ１２〜１５は、タンブラ軸１１の方向に交互に左右対称配置して設けられる。
【００５１】
こうして、カードキー装置に組み込まれた各タンブラの状態を具体的に示すと、１番タンブラ１２については図１２(ａ)、２番タンブラ１３は図１３(ａ)、ダミータンブラ１４は図１４、変換用タンブラ１５は図１５(ｂ)、判定タンブラ２０は図６、およびピッキング対策タンブラ２１は図１６に示す横断面図のようになる。
【００５２】
すなわち、各タンブラ１２〜１５、２０，２１は板バネ１０の自由状態ではそのバネ力に付勢され、爪１２ｃ、１３ｃ、１５ｃは判別部３ｄに入り、判定タンブラ２０の爪２０ｃは大穴判定部１９ａに入り、ピッキング対策タンブラ２１の爪２１ｃはピッキング対策凹部２２に入り込むようになっている。一方、カム部１２ｂ、１３ｂ、１５ｂ、２０ｂ、２１ｂはカードキーの挿し込み路(挿入路)１６に臨み、カードキー１に接触することで、各タンブラを板バネ１０の弾性力に抗して揺動させるようになる。
【００５３】
＜１点抜け制御手段＞
１点抜け制御手段１８は図６〜図８に示すように、大穴判定部１９ａおよび小穴判定部１９ｂよりなる判定凹部１９と、判定タンブラ２０とで構成される。図５(ｂ)および図６に示すように、内部ユニット４が施錠位置にあるとき、カードキー１を一点鎖線に状態に挿し込むと、判定タンブラ２０は図７に示すように、大穴判定部１９ａに対応する位置にあり、かつ、カードキー１に刻設した不図示の判定タンブラ２０用のキー溝に弾接する。この状態でカードキー１を点線に示す解錠位置の方向へスライドさせると、図８に示す状態にすることができるようになっている。
【００５４】
＜ワンウェイクラッチ機構＞
図３，図１８，図１９に示すように、内部ユニット４、すなわち内部ケース７と、外部ケース３との間にワンウェイクラッチ機構２３が設けられる。ワンウェイクラッチ機構２３は外部ケース３の開口部３ｃの奥に設けられ、カードキー１の抜き挿しする方向に弾性変形が可能な２個の爪２４と、内部ケース７の背面７ａに切り欠いて設けられ、爪２４を係脱させる係合部２５とで形成される。図１８で示すように、内部ケース７が施錠位置にあるとき、爪２４は係合部２５に係合しており、不用意に内部ケース７が解錠位置の方向へ移動(シフト)するのを拘束するストッパとしての機能を有する。内部ユニット７にカードキー１が矢印方向へ挿し込まれると、カードキー１の前端縁が内部ケース７の背面７ａ(図１９参照)まで進入する。これにより、係合部２５に臨んでいる爪２４は係合部２５から押し出されて解脱し、この状態を維持してカードキー１を内部ケース７と一体に解錠位置の方向へスライドできるようになる。なお、解錠位置から施錠位置へ復帰するときは、なんら抵抗なく爪２４は係合部材２５に係合し、自動的に内部ケース７の移動が拘束されるようになっている。
【００５５】
＜カードキーおよび変換用カードキー＞
図２３に示すカードキー１および変換用カードキー５を説明する。なお、図２３(ａ)のカードキー１および同図(ｂ)の変換用カードキー５には、図８に示す１点抜け制御用のキー溝１ｅの図示を省略している。
【００５６】
カードキー１および変換用カードキー５は透明の合成樹脂材を成形して形成される。カードキー１は図２３(ａ)に示す平面形状を有し、各タンブラのカム部１２ｂ〜１５ｂ、２０ｂ、２１ｂにカム接触し易いように、先端縁に例えば約２０°の傾斜角を有するテーパ部１ａが形成される。上面には１番山用タンブラ１２のカム部１２ｂに係合する断面山形のキー溝１ｂと、２番山用タンブラ１３のカム部１３ｂに係合する断面山形のキー溝１ｃとが刻設される。２番山用のキー溝１ｃの深さは、１番山用のキー溝１ｂのそれよりも大きく設定される。
【００５７】
変換用カードキー５は図２３(ｂ)に示す平面形状を有し、その上面には上記カードキー1と共通する形状のキー溝１ｂ、１ｃが配置される。カードキー１と異なる点は、変換用タンブラ１５のカム部１５ｂに係合する断面山形のキー溝１ｄが刻設される点のみである。
【００５８】
＜閂部材＞
閂部材９は図５(ｆ)および図７(ａ)に示すように、門型部９ａと、門型部９ａから伸びるＬ型部９ｂとで形成される。門型部９ａは内部ケース７の箱部７ａの両側を抱き込むように設けられる。Ｌ型部９ｂは外部ケース３のガイド溝３ｊを出没自在となるように設けられる。これにより、図７(ａ)のようにカードキー1、１５が施錠位置にあるときは、Ｌ型部９ｂは外部ケース３から出っ張り、不図示の錠前を施錠する。逆に、カードキー1、１５が左方の解錠位置へスライドされると、Ｌ型部９ｂは外部ケース３内に没し、錠前を解錠する。
【００５９】
なお、変換用カードキー５を使用して上記の解錠位置において、内部ユニット４を外部ケース３から取り出し他の内部ユニット４と交換する場合には、閂装置９は外部ケース３に取り残されるように構成される。
【００６０】
＜カードキー装置の作用＞
次に、カードキー装置の作用を図８〜図１１を参照して説明する。図１２(ａ)の状態においてカードキー１を挿し込み路１６に挿入すると、１番山用タンブラ１２は図１２(ｂ)に示すように、カム部１２ｂが１番山用のキー溝１ａに乗りあがる。板バネ１０の付勢力に抗してタンブラ１２はタンブラ軸１１を中心にして反時計回りの方向へ揺動駆動される。それまで、判別部３ｄに入り込んでいた爪１２ｃが解脱する。補助爪１２ｄは判別部３ｄに入り込まない。これにより、内部ケース７はカードキー１と一体に図１の長手方向Ｌへのスライドが可能な状態となり、施解錠操作が可能となる。
【００６１】
なお、キー溝が一致しない場合には、図１２(ｃ)に示すように、爪１２ｃは判別部３ｄに残ったままとなり、スライド不可の状態となる。また、図示はしないが、カム部１２ｂがキー溝でないカードキー１の平坦面に乗り上げた場合には、補助爪１２ｄが判別部３ｄに入り込み、スライドを不可能にする。
【００６２】
２番山用タンブラ１３の挙動については、カードキー１が図１３(ａ)に示す状態にあるとき、カードキー１を挿入すると、同図(ｂ)のようにカム部１３ｂはカードキー１の２番山用のキー溝１ｃに乗り上がる。上記１番山用タンブラ１２の場合と同様にして、タンブラ１３の爪１３ｃおよび補助爪１３ｄは判別部３ｄから解脱した状態となる。これにより、それまで拘束状態にあった内部ユニット４はスライドが可能、すなわち施解錠操作が可能な状態となる。なお、同図(ｃ)に示すように、キー溝１ｃと異なるキー溝に乗り上げた場合には、補助爪１３ｄは判別部３ｄに入り込む。これにより、内部ユニット４のスライド、すなわち施解錠操作は拘束される。
【００６３】
ダミータンブラ１４の挙動については、図１４に示すように、施解錠用カードキー1または変換用カードキー５のいずれのカードキーを挿入しても、ダミータンブラ１４はカードキーの平坦面に乗り上げ揺動する。しかし、ダミータンブラ１４には爪を有しないので、判別部３ｄに入り込むことはない、換言すると、判別部３ｄに対しては何もしない。このように、ダミータンブラ１４は１番山用タンブラおよび２番山用タンブラの位置を外部からわからないようにするためのダミータンブラとして機能するもので、内部ユニット４のスライドは許容されはするが、拘束されることはない。
【００６４】
こうして、カードキー１が完全に奥まで挿し込まれると、図１８に示すように、係合部２５に係合していた爪２４は、カードキー１の前端縁で押し出されるように弾性変形する。これにより、爪２４による内部ケース７に対する拘束力が解除され、カードキー１は内部ケース７と一体になって解錠位置の方向へスライドできるようになる。
【００６５】
次に、変換用タンブラ１５の挙動について説明する。図１５(ａ)のように、挿入口８が施錠位置にあるとき、図１５(ｂ)に示すようにカードキー1を挿入する。すると、タンブラ１５のカム部１５ｂはカードキー１の平坦面に乗り上がる。変換用タンブラ１５は板バネ１０の付勢力に抗してタンブラ軸１１を中心に時計回りの方向へ揺動する。補助カム部１５ｄはスライド用レール部３ｅに対面して接触(干渉)する。これにより、シャーラインがそろわないので内部ユニット４が図面に向かって左方向(長手方向Ｌと直交する方向)へ抜脱するのを拘束するが、補助カム部１５ｄはスライド用レール部３ｅに沿う方向には拘束力が作用しないので、内部ユニット４のスライドのみを可能にする。
【００６６】
図１５(ｃ)に示すように、変換用カードキー５を上記施錠位置において挿入した場合には、カム部１５ｂは変換用山のキー溝１ｄに嵌り込む。すると、補助カム部１５ｄはスライド用レール部３ｅと干渉しない位置へ解脱する。このとき、他の１番山用タンブラおよび２番山用タンブラはいずれも判別部３ｄに係合しないようにシャーラインが揃っている。同時に、変換用カードキー５は完全に奥まで挿し込まれるので、爪２４は変換用カードキー５の前端縁により押し出されるように弾性変形する。これにより、内部ケース７には各タンブラ部材６および外部ケース３からの拘束力が働かないのでスライドフリーな状態となる。このため、内部ユニット４は施錠位置から解錠位置へ、またその逆方向へのスライドが可能となる。そして、施錠位置から解錠位置へスライドさせたとき、閂装置９は不図示の錠装置から外部ケース３へ引っ込む。これにより、内部ユニット４は変換用カードキー５と一体になった状態で、外部ケース３から取り出すことができるようになっている。
【００６７】
その結果、取り出した外部ケース３を持ち運びできると共に、新たなユーザが管理する別の内部ユニット４を外部ケース３に収納セットして、新たなユーザ用のカードキー装置として使用することができる。
【００６８】
すなわち、新たな内部ユニット４をセットした場合には、変換用カードキー５を挿入したまま、変換用カードキー５を内部ユニット４と共に解錠位置から施錠位置へスライドさせる。施錠位置までスライドさせた後に、変換用カードキー５だけを引き抜けば、閂装置９を施錠できる。以後、新たな内部ユニット４に見合ったキー溝を有するカードキー１を使用し、カードキー装置の施解錠操作を再び行えるようになる。
【００６９】
次に１点抜け制御手段１８の作用を説明する。図６に示すように内部ケース７が施錠位置にあるとき、カードキー１が図７のように挿し込まれると、その挿し込み過程において判定タンブラ２０のカム部２０ｂは、カードキーのキー溝の凹凸を上下し、爪２０ｃは大穴判定部１９ａを出入りする。カードキー１が完全に奥まで挿し込まれると、図８に示すように爪２０ｂは１点抜け制御用のキー溝１ｅに弾接する。この状態から、カードキー１を抜くとき、上記と同様にして判定タンブラ２０をタンブラ軸１１回りを中心に揺動させながら引き抜くことができる。こうして、図５(ｂ)に示すようにカードキー１を判定タンブラ２０に邪魔されることなく一点鎖線で示す位置まで挿し込んだり抜いたりできる。
【００７０】
図５(ｂ)に示すように、挿し込んだカードキー１を点線で示す解錠位置へ距離Ｈだけスライドさせる。この場合、判定タンブラ２０は板バネ１０のバネ力により常時カードキー１側に付勢されており、カム部２０ｂは図８に示すように天井１７より下側に存するようカードキー１のキー溝１ｅに弾接する。これによりカードキー１を解錠位置までスライドできる。
【００７１】
解錠位置において、カードキー１を抜こうとすると、カードキー１を介して判定タンブラ２０に揺動させる力が作用する。しかし、爪２０ｃが小穴判定部１９ｂ近傍の天井１７面に当接するため、判定タンブラ２０の揺動が拘束される。すなわち、解錠位置においては、カードキー１を内部ケース７から引き抜くことができない。これは変換用カードキー５についても同様である。
【００７２】
こうして、カードキー１、５が施錠位置にあるときだけ、カードキー１、５を内部ユニット４から引き抜くことが可能であるが、解錠位置にあるときにはそれを不可能にする。
【００７３】
本実施形態によれば、従来のようにキーブランクを回転させて使用する態様のものと異なり、カードキー１をスライドすることにより施解錠操作を行う。このため、他社製品との差別化が図れ、使用感においてもスマート感覚にあふれた操作性能を得ることができる。  また、カードキーの挿入方向における奥行きの浅い設置スペースがあればカードキー装置を容易に取り付けが可能となる。また変換用カードキー５を使用することで、内部ユニット４を交換してカードキー装置を利用でき、セキュリティを確保しつつ便利性の良いカードキー装置を得ることができる。
【００７４】
また、多数のタンブラを使用しているが、一枚の板バネ１０ですべてのタンブラ１２〜１５の揺動を制御するため、部品点数の大幅な削減が可能で、構成のシンプルなカードキー装置を実現できる。さらに、カードキー１、５を透明にすることで、デザイン性を向上できる。また、変換用カードキー５を施解錠用カードキー１と同じカードを使用して製造できるので、コスト安価なカードキー装置を得ることができる。
【００７５】
また、本実施形態によれば、内部ケース７と外部ケース３との間に１点抜け制御手段１８を設けたので、カードキー１，５は解錠位置では抜き挿しができず、施錠位置でのみ抜き挿しが行える。そのため、カードキーがカードキー装置に付いているか、付いていないかを視認するだけで、容易に解錠状態または施錠状態を判断できる。したがって、施錠位置での１点においてのみ、カードキーを引き抜くことができるので、例えば帰社時に机の引き出しを施錠しないで帰宅する事態を未然に防止でき、セキュリティの向上を図ることができる。
【００７６】
また、爪２４と係合部２５とでなるワンウェイクラッチ機構２３を設けたので、施錠位置においては、外部ケースの判別部に対するタンブラ部材の係合だけでなく、ワンウェイクラッチ機構２３による拘束力によっても内部ケースのスライドを拘束するため、内部ユニットが不用意に解錠位置へ操作されるのを禁止でき、セキュリティ性能を高める利点を有する。
【００７７】
また、ピッキング対策タンブラ２１と、これに係脱するピッキング対策凹部２２を設けたので、ピッキングツールに触れてピッキング対策タンブラ２１が少しでも揺動すると、爪２１ｃはピッキング対策凹部２２に嵌り込む。このため、内部ユニットが施錠位置から解錠位置へ強制的にスライドされるのを拘束し、セキュリティ対策上有利となる効果を有する。
【００７８】
また、タンブラ部材６を仕切る内部ケース７の仕切り壁７ｂに段差７ｃを設けたので、ピッキング対策に有利となる効果を有する。
【００７９】
本発明は、上記実施形態に限られるものではなく、その趣旨及び技術思想を逸脱しない範囲で種々の変形が可能である。
【００８０】
例えば、上記実施形態では、１点抜け制御手段１８により、施錠位置においてのみ、カードキー１をカードキー装置から抜き挿しでき、解錠位置ではカードキー１を引き抜くことができない構成としたが、この代わりに、施錠位置に加えて解錠位置でもカードキーの抜き挿しが行える、いわゆる２点抜け制御手段を具備する構成の変形例とすることも可能である。
【００８１】
すなわち、図５(ａ)および同図(ｂ)において、上記実施形態では、判定凹部１９を、大穴判定部１９ａと小穴判定部１９ｂとで形成したが、本変形例では上記の小穴判定部１９ｂも、図６，図７に示される大穴判定部１９ａとほぼ同様の大きさ(長さ)の溝形状とする判定部に形成する。これにより、施錠位置だけでなく、解錠位置においても判定タンブラ２０の爪２０ｃを係脱させることが可能な２点抜け制御を得ることができる。
【００８２】
係る変形例により、施錠位置および解錠位置の２点においてカードキー１の抜き挿しを自在に行うことができ、使い勝手の良好なカードキー装置を実現できる。
【００８３】
また、上記実施形態ではタンブラ軸１１を２本設けたが、１本にして各タンブラの向きを交互に配置しない構成にしてもよい。
【００８４】
また、変換用タンブラ１５を設ける位置は上記実施形態に限定されず、スライド方向に沿ったいずれの位置であってもよい。
【００８５】
また、上記では閂部材９をスライドさせて錠前に施解錠させる態様であったが、閂部材としては、例えば、外部ケース３と内部ユニット４との間に、外部ケース３または内部ユニット４のいずれか一方にラック歯を、いずれか他方にピニオン歯車を設けたラック・アンド・ピニオン機構を使用して内部ユニット４のスライドを回転運動に変換する閂機構としてもよい。
【００８６】
また、カードキー１、５を合成樹脂材を使用して形成したが、メタルを使用してもよい。
【００８７】
また、板バネ１０はタンブラ軸１１を利用して内部ケース７の箱部７ａに軸支したが、タンブラ軸１１を介することなく箱部７ａに取り付ける構成にしてもよい。
【００８８】
上記では、バネ部材として一本の板バネ１０を使用したが、タンブラごとにタンブラを揺動付勢する板バネ、コイルバネ等を設ける態様とすることも可能である。
【産業上の利用可能性】
【００８９】
本発明はオフィス向けの机、ワゴン、ロッカー、キャビネット、食器棚等の各種装置類に採用される施解錠装置としてのカードキー装置に利用される。
【符号の説明】
【００９０】
１  カードキー（施解錠カードキー）
２  カードキー装置本体
３  外部ケース
３ｄ  判別部
３ｅ  スライド用レール部
４  内部ユニット
５  変換用カードキー
６  タンブラ部材
７  内部ケース
７ａ  箱部
７ｂ  仕切り壁
７ｃ  段差
８  抜き挿し口(挿入口)
９  閂部材(デッドボルト)
１０  板バネ
１０ａ  基部
１０ｂ  枝部
１１  タンブラ軸
１２  １番山用タンブラ
１３  ２番山用タンブラ
１４  ０番タンブラ
１５  変換用タンブラ
１５ｄ  補助カム部
１６  挿し込み路
１７  天井
１８  １点抜け制御手段
１９  判定凹部
１９ａ  大穴判定部
１９ｂ  小穴判定部
２０  判定タンブラ
２１  ピッキング対策タンブラ
２３  ワンウェイクラッチ機構
２４  爪
２５  係合部
Ｈ  スライド距離
Ｌ  長手方向
【図１】
2011032709.tif 000003
【図２】
2011032709.tif 000004
【図３】
2011032709.tif 000005
【図４】
2011032709.tif 000006
【図５】
2011032709.tif 000007
【図６】
2011032709.tif 000008
【図７】
2011032709.tif 000009
【図８】
2011032709.tif 000010
【図９】
2011032709.tif 000011
【図１０】
2011032709.tif 000012
【図１１】
2011032709.tif 000013
【図１２】
2011032709.tif 000014
【図１３】
2011032709.tif 000015
【図１４】
2011032709.tif 000016
【図１５】
2011032709.tif 000017
【図１６】
2011032709.tif 000018
【図１７】
2011032709.tif 000019
【図１８】
2011032709.tif 000020
【図１９】
2011032709.tif 000021
【図２０】
2011032709.tif 000022
【図２１】
2011032709.tif 000023
【図２２】
2011032709.tif 000024
【図２３】
2011032709.tif 000025